(57)【要約】      （修正有）【課題】地面の凹凸の大小の状況に関わりなく効率よく除雪作業を実施するためのバケットの拡開装置を提供する。【解決手段】バケットの拡開装置３は、開口部５１から容器状に湾曲形成したバケット５０の左右側壁５４、５５の少なくとも一つの側壁の前端においてバケット５０の外側で拡開可能に形成した板状の拡開部１０、２０と、拡開部１０、２０をバケット５０の外側で拡開する拡開角度を調整可能に駆動する駆動装置３０と、を備える。左右の拡開部１０、２０は同様の構造であり、例えば拡開部１０は、バケット５０の開口部５１の側縁５１ｃに、バケット５０の外側で回動可能に形成した板状のメイン拡開部１１と、このメイン拡開部１１の下端から下方に延伸し、メイン拡開部１１に対して先端側を上下方向に回動可能に形成した板状のサブ拡開部１２と、を備えている。【選択図】図１
0003228901.tif 000002
【実用新案登録請求の範囲】
【請求項１】
走行車に取り付けられたバケットの拡開装置であって、
開口部から容器状に湾曲形成したバケットの左右側壁の少なくとも一つの側壁の前端においてバケットの外側で拡開可能に形成した板状の拡開部と、
前記拡開部をバケットの外側で拡開する拡開角度を調整可能に駆動する駆動装置と、を備え、
前記拡開部は、
バケットの開口部の側縁に、バケットの外側で回動可能に形成した板状のメイン拡開部と、
前記メイン拡開部の下端から下方に延伸し、前記メイン拡開部に対して先端側を上下方向に回動可能に形成した板状のサブ拡開部と、
を備えていることを特徴とするバケットの拡開装置。
【請求項２】
前記サブ拡開部は、自重による下方への回動動作を予め設定した位置で規制する規制部材を備えていることを特徴とする請求項１に記載のバケットの拡開装置。
【請求項３】
前記規制部材は、規制する位置を調整可能な規制用ダンパーであることを特徴とする請求項２に記載のバケットの拡開装置。
【請求項４】
前記拡開部は、前記サブ拡開部が上方に回動する衝撃力を吸収する緩衝装置を備えていることを特徴とする請求項１又は請求項２に記載のバケットの拡開装置。
【請求項５】
前記駆動装置の後端側は、傾動可能な軸受部を介してバケットの支持部材に支持されていることを特徴とする請求項１に記載のバケットの拡開装置。
【請求項６】
前記駆動装置は、前記拡開部に対して予め設定した以上の荷重がかかった際に、当該拡開部を駆動する駆動部の衝撃を吸収する衝撃吸収装置を備えていることを特徴とする請求項１又は請求項５に記載のバケットの拡開装置。
【請求項７】
前記衝撃吸収装置は、前記駆動部を固定するロッドピンが予め設定した以上の荷重で破断する構成であることを特徴とする請求項６に記載のバケットの拡開装置。
【請求項８】
前記衝撃吸収装置は、予め設定した以上の荷重がかかった際に前記駆動部の圧力を減ずる減圧装置であることを特徴とする請求項６に記載のバケットの拡開装置。
【請求項９】
前記拡開部は、バケットの外側でバケットの側壁面の位置まで回動可能に形成したことを特徴とする請求項１に記載のバケットの拡開装置。
【考案の詳細な説明】
【技術分野】
【０００１】
本考案は、走行車に装着したバケットによって除雪作業を効率よく実施するためのバケットの拡開装置を提供する技術に関する。
【背景技術】
【０００２】
トラクタショベルやホイールローダなどの走行車には、バケットを装着している。このバケットで土砂や砕石、あるいは麦、大豆、畜産飼料などの農産物、その他種々の物資をトラックなどの運搬車に積み込んだりしている。また、雪国ではバケットで道路等に積もった雪を掬い上げたり、掻き取ったりすることで、除雪作業を行っている。
【０００３】
従来、除雪作業を行うための除雪用のバケットは、例えば特許文献1に示すように、バケット本体が、側面視凹形状で左右に延在する凹状壁部と、この凹状壁部の左右両側を閉鎖する一対の側壁部と、地面の雪が前方から導入されるメイン開口部と、を備えている。さらに、前記一対の側壁部の少なくとも一方にサブ開口部を形成し、このサブ開口部を外側から閉鎖するために、後部を支点とする開閉可能なウイングが設けられている。
前記ウイングは、その前端部が外側に移動するように回動させて前記サブ開口部を開くことで、地面の雪が前記ウイングに案内されて前記サブ開口部を通過して、前記バケット本体内に導入される構成である。
これにより、バケット本体のメイン開口部の幅よりも、外側へ回動したウイングによって幅広く雪をバケット本体へ効率よく掻き取ることができるようにしている。
【０００４】
また、特許文献２の除雪作業用シャッターバケットでは、除雪作業用バケットの少なくとも片側の側板前端に、バケットの底面が地面に平行な状態で、鉛直線から一定の後傾角度をもって斜めに伸びるスライドシャフトを設け、このスライドシャフトに案内されて上下にスライド可能なシャッターが設けられている。
【０００５】
この構成により、地面に凹凸が存在しても、除雪時にシャッターが自動的に上下動して追従するので、シャッターに生じる上下方向の負荷を逃がすことができ、除雪作業をスムーズに行えるとされている。また、バケットの刃先で雪を掻き出すときにもシャッターが上にスライドするので邪魔にならないとされている。
特許文献１と同様に、バケットの幅より外側へ回動したシャッターによって幅広く雪をバケットへ効率よく掻き取ることができるようにしている。
【先行技術文献】
【特許文献】
【０００６】
【特許文献１】特開２００９−２７５４３５号公報
【特許文献２】特許第３００３８６０号公報
【考案の概要】
【考案が解決しようとする課題】
【０００７】
特許文献１における除雪用のバケットは、除雪作業を行う際にバケット本体の底面が接地面に対して、ほぼ接触した状態で前進することが使用に際して求められる。しかし、実際、地面は平坦ではなく凹凸面が多数存在するので、運転者が、バケット本体の底面が接地面に対してほぼ常時接触した状態でコントロールすることは難しい。
例えば、バケット本体の底面の前端が接地していても、前記底面の後方が接地面に対して離れるように傾斜すると、ウイングの下端縁は地面から離れることになる。この結果、ウイングの走行範囲は雪の取り残しが生じてしまう。場合によっては、再度除雪作業を行うことになる。
【０００８】
特許文献２における除雪作業用シャッターバケットは、シャッターがスライドシャフトに案内されて上下にスライド可能であるので、走行車が前進する際にシャッターは地面の凹凸に対して自動的に上下動する。しかし、特許文献１で説明したように、実際、地面は平坦ではなく凹凸面があるので、運転者が、バケットの底面が接地面に対してほぼ常時接触させながらコントロールすることは難しい。
【０００９】
したがって、バケットの底面の前端が接地していても、前記底面の後方が接地面に対して離れるように傾斜すると、シャッターの下端縁の先端は接地した状態で、シャッターの下端縁の後方の付け根部はスライドシャフトに案内されて上方へスライドする。この結果、シャッターの下端縁は後方側に向けて地面から離れることになるので、雪の取り残しが生じてしまう。場合によっては、再度除雪作業を行うことになる。
【００１０】
本考案はこのような事情に鑑みてなされたものであって、走行車に装着したバケットによって除雪作業を行う際に、地面の凹凸の大小の状況に関わりなく効率よく除雪作業を行うことを可能とするバケットの拡開装置を提供することを目的とする。
【課題を解決するための手段】
【００１１】
請求項１記載の考案は、  走行車に取り付けられたバケットの拡開装置であって、  開口部から容器状に湾曲形成したバケットの左右側壁の少なくとも一つの側壁の前端においてバケットの外側で拡開可能に形成した板状の拡開部と、  前記拡開部をバケットの外側で拡開する拡開角度を調整可能に駆動する駆動装置と、を備え、
前記拡開部は、  バケットの開口部の側縁に、バケットの外側で回動可能に形成した板状のメイン拡開部と、  前記メイン拡開部の下端から下方に延伸し、前記メイン拡開部に対して先端側を上下方向に回動可能に形成した板状のサブ拡開部と、を備えていることを特徴としている。
【００１２】
請求項２記載の考案は、  前記サブ拡開部は、自重による下方への回動動作を予め設定した位置で規制する規制部材を備えていることを特徴としている。
【００１３】
請求項３記載の考案は、  前記規制部材は、規制する位置を調整可能な規制用ダンパーであることを特徴としている。
【００１４】
請求項４記載の考案は、  前記拡開部は、前記サブ拡開部が上方に回動する衝撃力を吸収する緩衝装置を備えていることを特徴としている。
【００１５】
請求項５記載の考案は、  前記駆動装置の後端側は、傾動可能な軸受部を介してバケットの支持部材に支持されていることを特徴としている。
【００１６】
請求項６記載の考案は、  前記駆動装置は、前記拡開部に対して予め設定した以上の荷重がかかった際に、当該拡開部を駆動する駆動部の衝撃を吸収する衝撃吸収装置を備えていることを特徴としている。
【００１７】
請求項７記載の考案は、  前記衝撃吸収装置は、前記駆動部を固定するロッドピンが予め設定した以上の荷重で破断する構成であることを特徴としている。
【００１８】
請求項８記載の考案は、  前記衝撃吸収装置は、予め設定した以上の荷重がかかった際に前記駆動部の圧力を減ずる減圧装置であることを特徴としている。
【００１９】
請求項９記載の考案は、  前記拡開部は、バケットの外側でバケットの側壁面の位置まで回動可能に形成したことを特徴としている。
【考案の効果】
【００２０】
本考案のバケットの拡開装置によれば、バケットによって除雪作業を行うときは、駆動装置によって拡開部がバケットの外側でバケットの開口部より前方に位置するよう所望の拡開角度に調整して拡開する。この結果、拡開部の先端が除雪する有効幅となるので、単にバケットで行う除雪作業と比べて効率よく除雪作業を行うことができる。
さらに、サブ拡開部はメイン拡開部に対して先端側が上下方向に回動するので、バケットの底面の後方が接地面から離れるように傾斜しても、サブ拡開部の下端縁の全体がほぼ常時、地面にほぼ接触した状態で前進する。この結果、地面の凹凸の大小の状況に関わりなくバケットの範囲を含めて拡開部では雪の取り残しを少なくできる。
【００２１】
また、バケットを地面から離して上方へ移動しても、サブ拡開部は自重による下方への回動動作が規制部材によって予め設定した位置で規制されるので、バケットで通常の作業を行う際に支障をきたさない。
【００２２】
また、サブ拡開部は規制用ダンパーによって常時下方向に回動する付勢力が与えられる。つまり、サブ拡開部はほぼ常時接地する状態になる。さらに、バケットの底面が地面にほぼ接触している状態からバケットを急に地面から離して上方へ移動しても、サブ拡開部が規制用ダンパーによって徐々に下方へ回動するので、急な回動動作による衝撃を抑制することができる。
【００２３】
また、バケットの底面が接地面にほぼ接触するまでバケットを下降させると、サブ拡開部は下端の前方側が接地してから上方向に回動し、サブ拡開部の下端縁全体が接地する。この時、サブ拡開部にかかる上方向への衝撃力は緩衝装置によって吸収されるので、急な回動動作による衝撃を抑制することができる。
【００２４】
駆動装置の後端側を支持部材に支持する際に、傾動可能な軸受部を用いることで、駆動装置の先端側に柔軟性が生じるので、拡開部の拡開動作やサブ拡開部の回動動作に追従する。そのために拡開部の拡開動作やサブ拡開部の回動動作がスムーズになり、各部材の耐久性も向上する。
【００２５】
また、拡開部に対して予め設定した以上の荷重がかかった場合、衝撃吸収装置によって駆動部の衝撃を吸収するので、拡開部の破損を防止することができる。
【００２６】
また、予め設定した以上の荷重がかかると、駆動部を固定するロッドピンが破断して駆動部の衝撃を吸収するので、拡開部の破損を防止することができる。
【００２７】
また、予め設定した以上の荷重がかかると、減圧装置によって駆動部の圧力を減らすことで衝撃を吸収するので、拡開部の破損を防止することができる。
【００２８】
また、拡開部を使用せずに通常の作業を行う場合は、拡開部を邪魔にならない側壁面の位置へ収納することができる。
【図面の簡単な説明】
【００２９】
【図１】本考案に係るバケットの拡開装置を示す斜視図である。
【図２】バケットの拡開装置の左拡開部に関わる各部材を示す斜視図である。
【図３】バケットを接地した時のバケットの拡開装置の状態を示す斜視図である。
【図４】左拡開部をバケットの左側壁部へ収納した状態を示す斜視図である。
【図５】油圧シリンダの基部を支持部材に取り付けた状態を示す斜視図である。
【図６】左拡開部および右拡開部をバケットの側面に収納した状態を概略的に示す平面図である。
【図７】バケットの拡開装置を用いて除雪作業を行う状態を概略的に示す平面図である。
【考案を実施するための最良の形態】
【００３０】
以下、本考案の実施形態に係るバケットの拡開装置について図面を参照して説明する。
除雪作業は、図1に示すようにトラクタショベルやホイールローダなどの走行車１に装着されているバケット５０の底面を地面に対し、ほぼ接触させた状態で走行車１を前進させることで、例えば道路に積もった雪を掻き取るようになっている。
本実施形態のバケットの拡開装置３は、前記のバケット５０によって除雪作業を行う際に、地面の凹凸の大小の状況に関わりなく効率よく除雪作業を実施するための装置である。
【００３１】
バケット５０は、一般的な形態と同様であり、図1に示すように前方に開口部５１が形成されて、後方側に湾曲形成した容器状を呈するもので、左右側面にほぼ垂直の左側壁５４，右側壁５５が形成されている。前記の湾曲形状は、開口部５１の下縁５１aから後方に延びる底面部５２がほぼ平面状に形成され、この底面部５２から、上方へ湾曲形状に開口部５１の上縁５１ｂにかけて、湾曲面部５３が形成されている。
バケット５０は、走行車１のアームや油圧シリンダなどの駆動装置２によって上下動可能で、かつ開口部５１を下向きから上向きへ回動可能となっている。
【００３２】
バケットの拡開装置３は、バケット５０の左側壁５４，右側壁５５の少なくとも一つの側壁の前端において、バケット５０の外側で拡開可能な板状の拡開部（１０，２０）を備えている。本実施形態では、図１に示すように板状の拡開部１０，２０がバケット５０の左側壁５４，右側壁５５の前端（開口部５１の左側縁５１ｃ，右側縁５１ｄ）に形成されている。すなわち、板状の左拡開部１０がバケット５０の左側壁５４の前端（５１ｃ）においてバケット５０の左外側で拡開可能に形成されている。一方、板状の右拡開部２０がバケット５０の右側壁５５の前端（５１ｄ）においてバケット５０の右外側で拡開可能に形成されている。
【００３３】
左拡開部１０と右拡開部２０は、本実施形態で左右対称に位置する同様の構造であるので、左拡開部１０について説明し、右拡開部２０の説明は省略する。
左拡開部１０は、図２に示すように板状の左メイン拡開部１１と板状の左サブ拡開部１２とから構成される。左サブ拡開部１２の下部はエッジ部材１７でカバーされている。
なお、右拡開部２０は、左拡開部１０に対応する部材として、板状の左メイン拡開部２１と板状の左サブ拡開部２２とから構成され、エッジ部材２７でカバーされている。
【００３４】
左メイン拡開部１１は、バケット５０の開口部５１の左側縁５１ｃの下部に、ヒンジ１３を介してバケット５０の左外側に、回動可能に取り付けられている。なお、左メイン拡開部１１は、本実施形態ではバケット５０の左側壁５４の位置まで外回り方向に回動可能となっている。これにより、左拡開部１０を使用せずに通常の除雪作業を行う場合は、左拡開部１０を邪魔にならない左側壁５４の位置へ収納することができる。
【００３５】
また、左サブ拡開部１２は、左メイン拡開部１１の下側に位置して、左メイン拡開部１１の下端から下方へ延伸するように配置されている。さらに、左サブ拡開部１２は、左メイン拡開部１１の後方位置、つまり図２において右下側（後部の下側）のピン１４を支点にして上下方向（図２において時計回り方向あるいは反時計回り方向）に回動可能に形成されている。
【００３６】
また、左サブ拡開部１２は、自重で常時下方向（図２において反時計回り方向）へ回動する状態であるが、予め設定した位置で回動停止させるための規制部材として、規制用ダンパー１５が使用されている。すなわち、規制用ダンパー１５は図２に示すように左メイン拡開部１１に取り付けており、規制用ダンパー１５のロッド１５ａの先端は左サブ拡開部１２の上部に連結されている。なお、規制用ダンパー１５のロッド１５ａはロックナット１５ｂで長さを調整できるので、左サブ拡開部１２の回動停止位置が調整可能となる。
なお、規制部材としては、単なるストッパであってもよく、規制用ダンパー１５に限定されない。
【００３７】
したがって、サブ拡開部１２は、その自重により常時下方向に回動する付勢力が与えられる。つまり、サブ拡開部１２の下端縁全体はほぼ常時接地した状態になる。
また、バケット５０で通常の作業を行う際にバケット５０を急に地面から離して上方へ移動しても、左サブ拡開部１２は自重による下方への回動動作が規制用ダンパー１５によって予め設定した位置で規制されるので支障をきたさない。
【００３８】
また、左拡開部１０は、左サブ拡開部１２が上方向（図２において時計回り方向）に回動する衝撃力を吸収する緩衝用ダンパー１６（緩衝装置）を備えている。すなわち、緩衝用ダンパー１６は図２に示すように左メイン拡開部１１に取り付けられており、緩衝用ダンパー１６のロッド１６ａの先端は左サブ拡開部１２の上部に連結されている。
例えばバケット５０が急に下降して接地すると、左サブ拡開部１２が急に上方向に回動するが、この衝撃力は緩衝用ダンパー１６（緩衝装置）によって吸収される。
【００３９】
また、バケットの拡開装置３は、図２および図５に示すように、バケット５０の左外側で、左拡開部１０の拡開角度を調整可能に駆動する油圧シリンダ３１（駆動部）などの駆動装置３０を備えている。油圧シリンダ３１の後端側は、傾動可能な軸受部３２を介してバケット５０の後部に設けた支持部材５６に支持されている。
【００４０】
詳しく説明すると、図５に示すように軸受支持基部３３が支持部材５６に固定用ロッド３４で軸支され、傾動可能な軸受部３２は軸受支持基部３３に備えた支持軸３５に装着される。油圧シリンダ３１には、後端の基部３１ｂに軸受用孔部３１ｃが形成されており、この軸受用孔部３１ｃに前記の軸受部３２を装着することで、軸受支持基部３３に取り付けられる。さらに、支持軸３５の上端は、支持部材５６に固定したロッドピン３６に取り付けた押え部材３７で押さえられている。
【００４１】
さらに、油圧シリンダ３１は、図２に示すようにピストンロッド３１ａの先端が左サブ拡開部１２に軸受部３８を介して連結されている。
【００４２】
このように、油圧シリンダ３１の後端の基部３１ｂは、支持部材５６に対し、傾動可能な軸受部３２を介して取り付けられていることから、油圧シリンダ３１の斜め方向及び回転方向の移動を許容することとなり、左拡開部１０の拡開動作や左サブ拡開部１２の回動動作に追従することが可能となる。この結果、左拡開部１０の拡開動作や左サブ拡開部１２の回動動作がスムーズになり、関係する各部材（１１，１２）の耐久性も向上する。
【００４３】
また、駆動装置３０は、左拡開部１０に対して予め設定した以上の荷重がかかった際に、左拡開部１０を駆動する油圧シリンダ３１（駆動部）が受ける衝撃を吸収する衝撃吸収装置４０を備えている。
【００４４】
衝撃吸収装置４０としては、本実施形態では図５に示すように油圧シリンダ３１を取り付ける軸受部３２，軸受支持基部３３を支持するロッドピン３６が予め設定した以上の衝撃力（荷重）で破断する構成である。
これにより、ロッドピン３６が破断後の油圧シリンダ３１は衝撃が吸収され、弱まった衝撃は支持部材５６で受け止めることになる。この時、運転者は走行車１を停止することで、左拡開部１０の破損を防止することができる。
【００４５】
また、衝撃吸収装置４０の他の例としては、左拡開部１０に対して予め設定した以上の荷重がかかった際に、例えば圧力センサなどの圧力検知装置を設け、この時の検知信号によって左拡開部１０を駆動する油圧シリンダ３１（駆動部）の圧力を減ずる減圧装置を用いるようにしても良い。
これにより、前述の場合と同様に、油圧シリンダ３１自体が衝撃を吸収するので、左拡開部１０の破損を防止することができる。
【００４６】
次に、本実施形態のバケットの拡開装置３の作用について、図面を参照して説明する。
なお、バケットの拡開装置３は、通常では図４および図６に示すように左拡開部１０と右拡開部２０がバケット５０の左側壁５４，右側壁５５の位置へ収納されている。
【００４７】
バケット５０によって除雪作業を行うときは、図２および図７に示すように油圧シリンダ３１，３１を駆動して左拡開部１０と右拡開部２０がバケット５０の外側で、バケット５０の開口部５１より前方に位置するよう所望の拡開角度に調整する。この結果、左拡開部１０の先端と右拡開部２０の先端との距離Ｗが除雪する有効幅となるので、単にバケット５０で行う除雪作業と比べて効率よく作業を行うことができる。
【００４８】
なお、左拡開部１０と右拡開部２０とは、本実施形態ではほぼ左右対称に設けられて、同様の作用、効果を備えていることから、右拡開部２０の説明は省略する。
【００４９】
左サブ拡開部１２は、自重で常時下方向へ回動する状態であるが、図２に示すように規制用ダンパー１５によって予め設定した位置で回動停止している。
【００５０】
除雪作業は、バケット５０の底面を接地面に対し、ほぼ接触させた状態で走行車１を前進させることで、雪を掻き寄せることができることから、運転者は走行車１の駆動装置２によってバケット５０の底面が地面にほぼ接触するまでバケット５０を下降させる。
【００５１】
この時、左サブ拡開部１２は下端の前方側が接地してから図２における二点鎖線の位置まで時計回り方向に回動し、図３に示すように左サブ拡開部１２の下端縁全体が接地する。この時、左サブ拡開部１２にかかる上方向（図２において時計回り方向）への衝撃力は、緩衝用ダンパー１６（緩衝装置）によって吸収されるので、左サブ拡開部１２の破損を未然に防止することができる。
【００５２】
また、左サブ拡開部１２は規制用ダンパー１５によって常時下方向に回動する付勢力が与えられる。つまり、左サブ拡開部１２の下端縁全体はほぼ常時接地した状態になる。
【００５３】
この結果、バケット５０の開口部５１の下縁５１aとバケット５０の底面と左拡開部１０の下端は、地面にほぼ接触した状態になる。
【００５４】
この状態で走行車１を前進して除雪作業を行う場合、地面は平坦ではなく凹凸面であるために、バケット５０の底面部５２の前端（開口部５１の下縁５１a）が接地していても、底面部５２の後方が接地面から離れるように傾斜する。しかし、左サブ拡開部１２は、規制用ダンパー１５および緩衝用ダンパー１６によってスムーズに地面の凹凸面に沿って上下方向（図２において時計回り方向または反時計回り方向）に回動する。
【００５５】
この結果、左サブ拡開部１２の下端縁の全体がほぼ常時、地面にほぼ接触した状態で前進するので、地面の凹凸の大小の状況に関わりなくバケット５０の範囲を含めて左拡開部１０では雪の取り残しを少なくできる。
さらに、運転者は、バケット５０の底面部５２の後方が、多少接地面から離れるよう傾斜しても、バケット５０の底面部５２の前端（開口部５１の下縁５１a）が接地することを特に意識すれば雪の取り残しを少なくできるので、安心して除雪作業を効率よく行うことができる。
【産業上の利用可能性】
【００５６】
本考案は、トラクタショベルやホイールローダなどの走行車に装着したバケットによる除雪作業を行う地方自治体並びに各事業者、バケット関連を製造する自動車製造および販売業、土木事業、建築業などの広範囲の分野において、利用可能性を有する。
【符号の説明】
【００５７】
１  走行車                          ２  駆動装置
３  バケットの拡開装置
１０  左拡開部
１１  左メイン拡開部                １２  左サブ拡開部
１３  ヒンジ                        １４  ピン（支点）
１５  規制用ダンパー                １５ａ  ロッド
１５ｂ  ロックナット                １６  緩衝用ダンパー
１６ａ  ロッド                      １７  エッジ部材
２０  右拡開部
２１  右メイン拡開部                ２２  右サブ拡開部
２３  ヒンジ                        ２４  ピン（支点）
２７  エッジ部材
３０  駆動装置
３１  油圧シリンダ（駆動部）        ３１ａ  ピストンロッド
３１ｂ  基部                        ３１ｃ  軸受用孔部
３２  軸受部                        ３３  軸受支持基部
３４  固定用ロッド                  ３５  支持軸
３６  ロッドピン                    ３７  押え部材
３８  軸受部
４０  衝撃吸収装置
５０  バケット
５１  開口部                        ５１ａ  下縁
５１ｂ  上縁                        ５１ｃ  左側縁
５１ｄ  右側縁                      ５２  底面部
５３  湾曲面部                      ５４  左側壁
５５  右側壁                        ５６  支持部材
【図１】
0003228901.tif 000003
【図２】
0003228901.tif 000004
【図３】
0003228901.tif 000005
【図４】
0003228901.tif 000006
【図５】
0003228901.tif 000007
【図６】
0003228901.tif 000008
【図７】
0003228901.tif 000009
【手続補正書】
【提出日】令和2年8月11日(2020.8.11)
【手続補正１】
【補正対象書類名】実用新案登録請求の範囲
【補正対象項目名】全文
【補正方法】変更
【補正の内容】
【実用新案登録請求の範囲】
【請求項１】
走行車に取り付けられたバケットの拡開装置であって、
開口部から容器状に湾曲形成したバケットの左右側壁の少なくとも一つの側壁の前端において、その側縁に対しヒンジを介して回動可能に取り付けられ、該バケットの開口部幅よりも幅広となるように拡開可能に形成した板状の拡開部と、
前記拡開部を該バケットの外側で拡開する拡開角度を調整可能に駆動する駆動装置と、を備え、
前記拡開部は、
該バケットの開口部の側縁に、該バケットの外側で外回り方向に回動可能に形成した板状のメイン拡開部と、
前記メイン拡開部から下方に延伸して設けられているとともに、前記メイン拡開部に対し後部側を支点として支持されることにより、その先端側を上下方向に回動可能とした板状のサブ拡開部と、
を具備していることを特徴とするバケットの拡開装置。
【請求項２】
前記サブ拡開部は、自重による下方への回動動作を予め設定した位置で規制する規制部材を備えていることを特徴とする請求項１に記載のバケットの拡開装置。
【請求項３】
前記規制部材は、規制する位置を調整可能な規制用ダンパーであることを特徴とする請求項２に記載のバケットの拡開装置。
【請求項４】
前記拡開部は、前記サブ拡開部が上方に回動する衝撃力を吸収する緩衝装置を備えていることを特徴とする請求項１又は請求項２に記載のバケットの拡開装置。
【請求項５】
前記駆動装置はピストンロッドを備えた油圧シリンダであり、該シリンダの基部は、傾動可能な軸受部を介して該バケットの支持部材に支持されているとともに、該バケットの外側側面の側壁及び底面部を含んで形成された空間部分に、該駆動装置が収容されていることを特徴とする請求項１に記載のバケットの拡開装置。
【請求項６】
前記駆動装置は、前記拡開部に対して予め設定した以上の荷重がかかった際に、当該拡開部を駆動する駆動部の衝撃を吸収する衝撃吸収装置を備えていることを特徴とする請求項１又は請求項５に記載のバケットの拡開装置。
【請求項７】
前記衝撃吸収装置は、前記駆動部を固定するロッドピンが予め設定した以上の荷重で破断する構成であることを特徴とする請求項６に記載のバケットの拡開装置。
【請求項８】
前記衝撃吸収装置は、予め設定した以上の荷重がかかった際に前記駆動部の圧力を減ずる減圧装置であることを特徴とする請求項６に記載のバケットの拡開装置。
【請求項９】
前記拡開部は、前記油圧シリンダのピストンロッド縮み動作により、該バケットの外側で側壁面の方向へ回動可能に形成したことを特徴とする請求項５に記載のバケットの拡開装置。
【手続補正２】
【補正対象書類名】明細書
【補正対象項目名】００１１
【補正方法】変更
【補正の内容】
【００１１】
請求項１記載の考案は、  走行車に取り付けられたバケットの拡開装置であって、  開口部から容器状に湾曲形成した該バケットの左右側壁の少なくとも一つの側壁の前端において、その側縁に対しヒンジを介して回動可能に取り付けられ、該バケットの開口部幅よりも幅広となるように拡開可能に形成した板状の拡開部と、  前記拡開部を該バケットの外側で拡開する拡開角度を調整可能に駆動する駆動装置と、を備え、
前記拡開部は、  該バケットの開口部の側縁に、該バケットの外側で外回り方向に回動可能に形成した板状のメイン拡開部と、  前記メイン拡開部から下方に延伸して設けられているとともに、前記メイン拡開部に対し後部側を支点として支持されることにより、その先端側を上下方向に回動可能とした板状のサブ拡開部と、を具備していることを特徴としている。
【手続補正３】
【補正対象書類名】明細書
【補正対象項目名】００１５
【補正方法】変更
【補正の内容】
【００１５】
請求項５記載の考案は、前記駆動装置はピストンロッドを備えた油圧シリンダであり、該シリンダの基部は、傾動可能な軸受部を介して該バケットの支持部材に支持されているとともに、該バケットの外側側面の側壁及び底面部を含んで形成された空間部分に、該駆動装置が収容されていることを特徴としている。
【手続補正４】
【補正対象書類名】明細書
【補正対象項目名】００１９
【補正方法】変更
【補正の内容】
【００１９】
請求項９記載の考案は、前記拡開部は、前記油圧シリンダのピストンロッド縮み動作により、該バケットの外側で側壁面の方向へ回動可能に形成したことを特徴としている。